(57)【要約】      （修正有）【課題】放熱機能を有する組合せ式ケーシングの構造を提供する。【解決手段】基礎面ケーシングと、基礎面ケーシングと同じ方向の両側に連結された第１、第２側面ケーシング１４，１７を含むケーシング本体１０と、ケーシング本体１０の外面に設ける複数の放熱具２１を含み、放熱具２１は一体して連結された内側の隆起部２１１と、外側の結合部２１２とを含み、隆起部２１１は外面より一体して外部に突き出しており、結合部２１２は幾何形状を形成して隆起部２１１より突き出され、隣接する隆起部２１１の間に係合溝２２を形成、隣接する結合部の間に入口凹み溝２３を形成、入口凹み溝２３が係合溝２２に連絡する放熱装置２０と、を備える。これにより、放熱機構は縦方向による重ね合わせ連結及び／または横方向による拡張連結の応用によって、コンピュータシステムが極めて良い拡張応用と放熱効果を達成できる。【選択図】図１
0003185017.tif 000002
【実用新案登録請求の範囲】
【請求項１】
放熱機能を有する組合せ式ケーシングの構造であって、
外面と内面とを有し、基礎面ケーシングと、前記基礎面ケーシングと同じ方向の両側に接続する第１側面ケーシングと、第２側面ケーシングとを含み、前記第１側面ケーシングと、前記第２側面ケーシングの自由端にそれぞれ第１端接続部と、第２端接続部とを設けられ、前記基礎面ケーシングと、前記第１側面ケーシングと、前記第２側面ケーシングは放熱部材から一体して成形するケーシング本体と、
前記ケーシング本体の外面に設けられた複数の放熱具を含み、前記放熱具は一体して連結される内側の隆起部と、外側の結合部とを含み、前記隆起部は外面より一体して外部に突き出し、前記結合部は幾何形状を形成していて、かつ少なくとも前記隆起部の側縁部に突き出しており、前記結合部は前記隆起部の一端に対向して位置する第１端と前記隆起部の他端に対向して位置する第２端とを有し、隣接する前記隆起部の間に係合溝を形成し、隣接する結合部の間に入口凹み溝を形成し、前記入口凹み溝は前記係合溝に連絡され、前記結合部と、前記隆起部と、前記係合溝はそれぞれ前記係合溝と、前記入口凹み溝とを互いに嵌着して連結するように構成する放熱装置と、を備えることを特徴とする、
放熱機能を有する組合せ式ケーシングの構造。
【請求項２】
前記基礎面ケーシングの内面にて複数の蟻形矧ぎ溝を設けることを特徴とする、請求項１記載の放熱機能を有する組合せ式ケーシングの構造。
【請求項３】
前記基礎面ケーシング外面の中央部にある大部分の面積にて外部凹面を形成し、前記基礎面ケーシング内面の中央部にある大部分の面積にて内部突起面を形成することを特徴とする、請求項１記載の放熱機能を有する組合せ式ケーシングの構造。
【請求項４】
前記第１端接続部に端部つなぎ凹み溝または端部つなぎ突起部を設け、前記第２端接続部に端部つなぎ突起部または端部つなぎ凹み溝を設け、前記端部つなぎ凹み溝と、前記端部つなぎ突起部とを互いに嵌着して連結するように構成することを特徴とする、請求項１記載の放熱機能を有する組合せ式ケーシングの構造。
【請求項５】
前記ケーシング本体をさらに増設することができ、前記ケーシング本体は上下を相反して設けられ、重ね組合せを形成し、２つの前記ケーシング本体の前記第１側面ケーシングと、前記第２側面ケーシングとを交互に相反して接ぎあわせることによって、上下に対応する端部つなぎ凹み溝と、端部つなぎ突起部とを嵌着して連結させ、もともとの前記ケーシング本体の高さを２倍のケーシング高さに形成することを特徴とする、請求項４記載の放熱機能を有する組合せ式ケーシングの構造。
【請求項６】
前記基礎面ケーシングと前記第１側面ケーシングと、前記第２側面ケーシングの接続場所の内面はそれぞれ固定リブ溝を設けられていることを特徴とする、請求項１記載の放熱機能を有する組合せ式ケーシングの構造。
【請求項７】
前記結合部の前記第２端は前記結合部の前記第１端より長く設けることを特徴とする、請求項１記載の放熱機能を有する組合せ式ケーシングの構造。
【請求項８】
前記隆起部とその所在位置の外面に斜度を形成することを特徴とする、請求項１記載の放熱機能を有する組合せ式ケーシングの構造。
【請求項９】
前記第１側面ケーシングを設ける前記外面はさらに端部放熱具を含み、前記端部放熱具は前記放熱具の対向端に設けられ、前記端部放熱具は連結される内側の端部隆起部と、外側の前記端部結合部とを含み、２つの前記端部隆起部が同じ斜度を有し、前記端部放熱具の前記端部結合部が平行した所在位置の外面に位置することを特徴とする、請求項１記載の放熱機能を有する組合せ式ケーシングの構造。
【請求項１０】
前記端部放熱具の前記端部結合部は前記第２端に隣接する端部に第１端部を延ばしており、前記端部放熱具と、前記放熱具との間に係合溝と、外側の入口凹み溝とを形成されていることを特徴とする、請求項９記載の放熱機能を有する組合せ式ケーシングの構造。
【請求項１１】
前記第１側面ケーシングに設ける端部隆起部と、前記突起部と、前記第２側面ケーシングに設ける端部突起部と、前記隆起部の斜度は相反して設置されていることを特徴とする、請求項１０記載の放熱機能を有する組合せ式ケーシングの構造。
【請求項１２】
前記第１側面ケーシングに設ける端部放熱具と、前記第２側面ケーシングに設ける端部放熱具の位置は相反して設置されていることを特徴とする、請求項１１記載の放熱機能を有する組合せ式ケーシングの構造。
【請求項１３】
前記ケーシング本体と、前記放熱装置とをさらに追設され、２つの前記ケーシング本体と、前記放熱装置は左右に接ぎあわせて設置し、２つの前記ケーシング本体の前記第１側面ケーシングと、前記第２側面ケーシングとを接ぎあわせることによって、対応の前記放熱具の前記結合部と、前記隆起部と、前記係合溝とを互いに嵌着し連結することによって、もともとのケーシング本体の幅を２倍に増やせることを特徴とする、請求項１記載の放熱機能を有する組合せ式ケーシングの構造。
【請求項１４】
底部きり板をさらに含み、前記底部きり板の両側にそれぞれ底部突起部と、底部凹み溝とを設けられ、前記底部突起部と、前記底部凹み溝をそれぞれ前記端部つなぎ凹み溝と、端部つなぎ突起部に嵌着結合することによって、前記底部きり板と、前記ケーシング本体とを組み合わせて連結し、前記底部きり板の表面に複数の蟻形矧ぎ溝と、前記係合溝とを設けることを特徴とする、請求項４記載の放熱機能を有する組合せ式ケーシングの構造。
【請求項１５】
前記底部きり板にて電気回路板を設けられ、前記電気回路板に少なくとも一つの発熱素子を設けられ、前記伝熱具には熱吸収面と、放熱面とを有し、前記熱吸収面が前記発熱素子に接触し、前記放熱面にて少なくとも一つの蟻形矧ぎくさびを設けられ、前記蟻形矧ぎくさびを前記ケーシング本体の前記蟻形矧ぎ溝に嵌着結合によって、蟻形矧ぎ溝放熱素子の熱エネルギーが前記伝熱具を通過し前記ケーシング本体に伝えた後、熱エネルギーが引き続き前記放熱装置を介して、素早く前記ケーシング本体より排出されることを特徴とする、請求項１４記載の放熱機能を有する組合せ式ケーシングの構造。
【請求項１６】
前記第１側面ケーシングと、前記第２側面ケーシングの内面は複数の嵌着溝をさらに設けられていることを特徴とする、請求項１記載の放熱機能を有する組合せ式ケーシングの構造。
【請求項１７】
側辺きり板をさらに含み、前記側辺きり板の端面はそれぞれ端部つなぎ突起部と、端つなぎ凹み溝とを設けていて、それぞれ前記ケーシング本体の前記端部つなぎ凹み溝と、前記端部つなぎ突起部に結合し、前記ケーシング本体の高さと内部空間を増やせる拡張性を有することを特徴とする、請求項５記載の放熱機能を有する組合せ式ケーシングの構造。
【請求項１８】
滑りレールをさらに含み、前記滑りレールの外面に凹部を有しており、両端を突き出された嵌着端を形成し、前記嵌着端は滑り自在にて、前記ケーシング本体の前記嵌着溝に嵌設することによって、前記滑りレールを前記第１側面ケーシングまたは前記第２側面ケーシング内面の前記嵌着溝に設けることを特徴とする、請求項１６記載の放熱機能を有する組合せ式ケーシングの構造。
【請求項１９】
前記滑りレールはさらにサンドイッチ板に接続し、前記サンドイッチ板の両側を２つの前記滑りレールに接続し、前記サンドイッチ板に前記電気回路板その他電子素子を設けることによって、前記サンドイッチ板が両側に備える前記滑りレールを介して、引き出しまたは引き戻し、保守または取付作業に便利することを特徴とする、請求項１８記載の放熱機能を有する組合せ式ケーシングの構造。
【請求項２０】
複数の放熱プレートをさらに含み、前記放熱プレートの一表面に連結柱を凸設され、前記連結柱の端面にダブテール端を設けられ、前記放熱プレートもう一つの表面に隣設配置された複数の放熱結合部と、放熱係合溝とを設けられ、前記放熱プレートは複数に相反して重ねて連結することができ、前記ケーシング本体に接触し連結することによって、熱エネルギーの伝導及び排出できることを特徴とする、請求項１記載の放熱機能を有する組合せ式ケーシングの構造。
【考案の詳細な説明】
【技術分野】
【０００１】
本考案はケーシング構造に関し、特に極めて良い組合せ空間配置を有しており、かつ放熱動作および空間の組合せ利用率を向上できる放熱機能を有する組合せ式ケーシングの構造に関する。
【背景技術】
【０００２】
既存の電気設備には高性能稼働の素子または装置を使用するため、放熱装置が設置されている。一例として、中央演算装置（ＣＰＵ）、ノースブリッジチップセット、ハードディスクなどコンピュータの重要素子には高熱が発生する。そして、温度が高すぎるとコンピュータ稼働の性能に影響し、さらにシャットダウンまたは使用寿命が短縮される。従って、コンピュータ設備の放熱対策が非常に重要である。
さらに、コンピュータ設備の放熱は一般として、ファンを取り付けて放熱させる。しかし、特定のコンピュータシステムはファンレス構造になっている。そのうち、サブシステムにはコンピュータの体積と空間の小型化を図るため、ファンの代わりに熱伝導と放熱が適宜に設計されている。この種のコンピュータケーシング自体の放熱設計が非常に重要である。
公知のコンピュータ放熱ケーシングには、台湾特許Ｉ３２３４０３号（特許文献１）、Ｍ２７３０３５号（特許文献２）、Ｍ２７３７６７号（特許文献３）、Ｍ２７７９７８号（特許文献４）、Ｍ２８２２４１号（特許文献５）などが開示されている。前記公知の技術は主に放熱を図るため、ケーシングの外側に突起状の放熱フィンを設けている。
【先行技術文献】
【特許文献】
【０００３】
【特許文献１】台湾特許Ｉ３２３４０３号
【特許文献２】台湾特許Ｍ２７３０３５号
【特許文献３】台湾特許Ｍ２７３７６７号
【特許文献４】台湾特許Ｍ２７７９７８号
【特許文献５】台湾特許Ｍ２８２２４１号
【特許文献６】台湾特許Ｍ３７５９２０号
【考案の概要】
【考案が解決しようとする課題】
【０００４】
しかし、目的の放熱効果を達成するため、放熱フィンは相当な長さを設置しなければならない。しかし、鋭い形状の放熱フィンをケーシング外部に突き出して設けると、タッチやコンピュータを操作する人にけがを与える恐れがあるほか、ケーシング外観の質感が大きく損なわれるため、理想的な設計と言えない。
さらに、台湾特許Ｍ３７５９２０号（特許文献６）においては、分厚い放熱フィンを凹設（図４に示す）することによって、ケーシングの表面には略面一を提供できる。しかし、この種の設計ではケーシングの内部空間を多く取ってしまい、空間利用の効率は良いため、軽薄短小という設計要求にそぐわず、理想的な設計と言えない。
さらに、前述の公知の放熱ケーシングの技術において、放熱フィンは放熱の使用に止まり、例えば、放熱ケーシングを縦方向への重ね合わせ連結及び／または横方向への拡張連結の応用によって、コンピュータシステム構造の拡張を実現するなどの、他の機能を有しない。
この点は産業用コンピュータ、クラウドコンピュータシステムの柔軟設計及び拡張機能設計にとって、非常に重要である。よって、公知技術の放熱ケーシングの技術ならび使用ともに制限を受けられ、合わせて積極的に改善する必要がある。従って、従来の放熱ケーシングにおける種々な欠点を如何に改善するかが、業界が努力して解決・克服しなければならない課題である。
【０００５】
考案者は、公知技術の放熱ケーシングの構造と使用面の欠点並びにその構造設計が理想でない事実について、解決方策の研究開発に取り組み、空間利用性をより良くし、体積の小型化、より良い放熱効果と組合せ拡張の特性を備え合わせる放熱機能を有する組合せ式ケーシングの構造の改良を目指し、社会大衆に貢献すると共に業界の発展促進を図り、種々研究した結果、本案を考案した。
【課題を解決するための手段】
【０００６】
本考案の目的は、ケーシングを比較的小さな容積に置いても充分な放熱効果を実現すると共に、極めて良い空間配置をもって、より良い放熱効果と空間利用性を実現する放熱機能を有する組合せ式ケーシングの構造を提供する。
【０００７】
本考案のもう一つの目的は、ケーシングの放熱構造を用いて、縦方向への重ね合わせ連結及び／または横方向への拡張連結応用を兼ね合わせて使用でき、コンピュータシステム構造に極めて良い、拡張の柔軟な応用を図る放熱機能を有する組合せ式ケーシングの構造を提供する。
【０００８】
前述の目的を達成するため、本考案が採用する技術手段は、基礎面ケーシングと、基礎面ケーシングと同じ方向の両側に接続する第１側面ケーシングと、第２側面ケーシングとを有し、ケーシング本体は外面と内面とを有しており、第１側面ケーシングと、第２側面ケーシングの自由端にてそれぞれ第１端接続部と、第２端接続部とを設けるケーシング本体と、ケーシング本体の外面に設ける複数の放熱具を有し、放熱具は連結する内側隆起部と、外側結合部とを含み、隆起部は外面と一体して外部に突き出し、結合部は幾何形状を形成して、隆起部より突き出し、結合部は隆起部の対向端にて、隣接する隆起部の間に係合溝を形成し、隣接する結合部の間に入口凹み溝を形成し、入口凹み溝は係合溝に連絡しており、結合部と、隆起部はそれぞれ係合溝と、入口凹み溝と相互に嵌着連結可能に配置する放熱装置と、を備える。
【図面の簡単な説明】
【０００９】
【図１】本考案のケーシングの立体を示す図である。
【図２】本考案のケーシングの正面を示す図である。
【図３】本考案のケーシング構造の組立を示す図である。
【図４】本考案のケーシング構造の組立断面を示す図である。
【図５】本考案のケーシング構造の重ね組合せを示す図である。
【図６】本考案のケーシング構造の接ぎ合わせ組立を示す図である。
【図７】本考案のケーシング構造の接ぎ重ね組合せを示す図である。
【図８】本考案のケーシング構造の背中重ね組合せを示す図である。
【図９】本考案のケーシング構造の拡張形接ぎ重ね組合せを示す図である。
【図１０】本考案のケーシング構造の側辺切り板による連結拡張の組合せを示す図である。
【図１１】本考案のケーシング構造の放熱プレートの連結組合せを示す図である。
【考案を実施するための形態】
【００１０】
本考案の技術特徴及び達成する効果のさらなる理解及び認識を図るため、好ましい実施態様図と合わせて、以下のとおり詳細に説明する。
【実施例】
【００１１】
図１ないし３の、本考案の放熱機能を有する組合せ式ケーシングの構造１はケーシング本体１０と、放熱装置２０と、を備える。ケーシング本体１０は基礎面ケーシング１１と、基礎面ケーシング１１と同じ方向の両側に接続する第１側面ケーシング１４と、第２側面ケーシング１７と、を有し、基礎面ケーシング１１は外面１２と、内面１３とを有する。
そのうち、内面１３にて複数の蟻形矧ぎ溝３３（本実施例において、あり形を実施しているが、関連技術に詳しい者はその他形状を実施することもできる。）をさらに設けられている。外面１２の中央部にある大部分の面積には、外部凹面１２０を形成しても良い。内面１３の中央部にある大部分の面積には、それに合わせて内部突起面１３０を形成する。外部凹面１２０の端面に傾昇面１２１をもって外面１２に接続する。
基礎面ケーシング１１に内部突起面１３０を有する場合は、複数の蟻形矧ぎ溝３３を内部突起面１３０に取り付けることができ、もし、内面１３に内部突起面１３０を有しない場合、複数の蟻形矧ぎ溝３３を内面１３に取り付けることができる。つまり、複数の蟻形矧ぎ溝３３の設置は内部突起面１３０の制限を受けない。
第１側面ケーシング１４は外面１５と、内面１６とを有し、第２側面ケーシング１７は外面１８と、内面１９とを有する。第１側面ケーシング１４と、第２側面ケーシング１７の自由端は、それぞれ第１端接続部３１と、第２端接続部３２とを設けられている。そのうち、第１端接続部３１に端部つなぎ凹み溝３１１を設け、第２端接続部３２に端部つなぎ突起部３２１を設け、端部つなぎ凹み溝３１１と端部つなぎ突起部３２１が互いに嵌着して連結するように設置していて、かつ両者は空間位置を置き換えて設置することもできる。
さらに、基礎面ケーシング１１と、第１側面ケーシング１４と、第２側面ケーシング１７との接続場所の内面はそれぞれ固定リブ溝３４を設けられている。前述の外面１２、１５、１８はケーシング本体１０の外面であり、内面１３、１６、１９はケーシング本体１０の内面である。
一好ましい実施例において、基礎面ケーシング１１と、第１側面ケーシング１４と、第２側面ケーシング１７は放熱部材を一体に成形していて、逆Ｕ字形を設けられている（取付方位には制限されない）。放熱装置２０はそれぞれ基礎面ケーシング１１の外面１２と、第１側面ケーシング１４の外面１５と、第２側面ケーシング１７の外面１８に設けられた複数の放熱具２１を含んでいる。
外面１２（外面１５、１８も同様）に設けられる複数の放熱具２１の例を説明する。放熱具２１は内側が連結されている隆起部２１１と、外側の結合部２１２とを含み、隆起部２１１は例えば棒体または片体の構造を形成し、結合部２１２は任意の幾何形状であっても良い。そのうち、隆起部２１１は外面１２から一体して外部に突き出し、結合部２１２は隆起部２１１（本実施例において、結合部２１２は外面１２方向に平行して隆起部２１１と一体して連結されている。）に突き出していて、結合部２１２は隆起部２１１の一端に対向する第１端２１２ａと、隆起部２１１の他端に対向する第２端２１２ｂとを含む。
一実施例において、第２端２１２ｂが第１端２１２ａより長く、かつ隆起部２１１と外面１２は斜度を形成する。さらに、隣接する隆起部２１１の間に係合溝２２を形成し、隣接する結合部２１２（または第２端２１２ｂと、第１端２１２ａ）との間に入口凹み溝２３を形成し、入口凹み溝２３は係合溝２２に連絡されている。
すなわち、隣り合う放熱具２１の間に内側を持つ係合溝２２と、外側を持つ入口凹み溝２３が形成されている。さらに、結合部２１２と、隆起部２１１はそれぞれ係合溝２２と、入口凹み溝２３とを相互に嵌着連結可能な配置になっている。
このほか、基礎面ケーシング１１に外部凹面１２０を有するとき、複数の放熱具２１を外部凹面１２０に設けることができる。もし、外面１２に外部凹面１２０を有しないときは、複数の放熱具２１を外面１２に設ける。外面１５、１８に設ける複数の放熱具２１も、外面１２に設ける構成及び配置方式と同じため、ここでの説明を省略する。
そのうち、外面１５、１８に設ける放熱装置２０は端部放熱具２４をさらに含めても良い。端部放熱具２４は放熱具２１第２端２１２ｂの一端に位置し、端部放熱具２４は内側を連結する端部隆起部２４１と、外側の端部結合部２４２とを含み、端部隆起部２４１は例えば棒体または片体の構成であり、端部結合部２４２は例えば適宜な幾何形状の構成である。
端部隆起部２４１は外面１５または外面１８より一体して外部に突き出していて、端部隆起部２４１と、隆起部２１１とを同じ斜度に設置されている。端部結合具２４２は外面１５または１８と平行する方向にて端部隆起部２４１と一体に連結され、端部結合部２４２は第２端２１２ｂに隣接する一端に第１端部２４２ａを凸設し、隣接する隆起部２１１、端部隆起部２４１との間に係合溝２２を形成し、隣接する結合部２１２と、端結合部２４２（または第１端部２４２ａと、第１端２１２ａ）との間に入口凹み溝２３が形成されている。
すなわち、隣接する放熱具２１と、端部放熱具２４との間も同じく内側に係合溝２２と、外側の入口凹み溝２３が形成されている。さらに、外面１５に設ける端部隆起部２４１と、隆起部２１１と、外面１８に設ける端部隆起部２４１と、隆起部２１１の斜度は相反して設置されている。これにより、それぞれ外面１５、１８に設けられた端部放熱具２４の位置も相反して設けられている。一実施例において、本考案の放熱装置２０を一体してケーシング本体１０に成形している。
【００１２】
図３と、４とを合わせて参照する。本考案の放熱機能を有する組合せ式ケーシングの構造は底部切り板４１と、２つの端部ケーシング４４とをさらに含み、底部切り板４１の両側はそれぞれ底部つなぎ突起部４１１と、底部つなぎ凹み溝４１２とを設けられ、底部つなぎ突起部４１１と、底部つなぎ凹み溝４１２はそれぞれ端部つなぎ凹み溝３１１と、端部つなぎ突起部３２１に嵌着連結していて、底部切り板４１と、ケーシング本体１０とを組合せて連結される。
底部切り板４１の内面４１Ａに複数の蟻形矧ぎ溝３３Ａを設けられ、底部切り板４１の外面４１Ｂも同じく複数の放熱具２１Ａと、係合溝２２Ａ（放熱装置２０の構造に同様）とを設けられている。底部切り板４１の周りに端部溝穴４１０を設けられ、端部ケーシング４４をケーシング本体１０の固定リブ溝３４に締結する。
さらに、底部切り板４１上に電気回路板４２を設けられ、電気回路板４２は端柱４２０を用いて底部切り板４１の端部溝穴４１０に挿置して固定され、電気回路板４２に発熱素子４２１（中央演算装置、チップなど）が設けられている。
伝熱具４３を有し、伝熱具４３は熱吸収面４３１と、放熱面４３２とを有し、熱吸収面４３１が発熱素子４２１に接触しており、放熱面４３２には少なくとも一つの蟻形矧ぎくさび４３３を設けられ、蟻形矧ぎくさび４３３をケーシング本体１０の蟻形矧ぎ溝３３に嵌着連結することによって、発熱素子４２１の熱エネルギーを伝熱具４３に通過させ、ケーシング本体１０に伝導した後、熱エネルギーは放熱装置２０（放熱具２１と、端部放熱具２４）を介して、速やかにケーシング本体１０の外部に排出させる。
【００１３】
このほか、第１側面ケーシング１４の外面１５及び第２側面ケーシング１７の外面１８にてそれぞれ把手３５を嵌設して置き、把手３５は外面１５と、外面１８に対応する面にて、放熱具２１と、端部放熱具２４に組合せる嵌着具３５１を設けており、使用者が保守作業するときの握持に用いる（図３に示す）。
【００１４】
本考案の放熱機能を有する組合せ式ケーシングの構造の放熱具２１が隆起部２１１と、結合部２１２との組合せ構造となっているため、放熱面積が大きく、熱エネルギーをすばやく排出する機能がある。
さらに、結合部２１２をケーシング本体１０の外面に平行する設置し、相対的に平面を提供したことと同様な効果を有し、使用の安全性を有するほか、結合部２１２が形成する平面もケーシングを拡張するときの結合が提供される。詳細は以下のとおり説明する。
【００１５】
図５を合わせて参照する。ケーシング構造１Ａは重ね組合せになっていて、２つの上下を反対するように設置されたケーシング本体１０、１０Ｂを組合せてなる。すなわち、２つのケーシング本体１０に備える第１側面ケーシング１４と、第２側面ケーシング１７とを互いに反対に突き合わせつなぎ、上下に対応する端部つなぎ凹み溝３１１と、端部つなぎ突起部３２１と相互に嵌着して連結することによって、もともとの１Ｕ（＝１．７５インチ）長さのケーシング本体１０の高さを２倍にして、２Ｕ長さ単位のケーシング高さを実現する。
すなわち、簡単な組合せによって２倍の内部空間を増やすことができ、装置容量拡張の利便性と、柔軟性を向上できる。
【００１６】
図６を合わせて参照する。ケーシング構造１Ｂは接ぎあわせの組合せであり、２つの左右に並べて配置されたケーシング本体１０、１０Ｃを組合せてなる。すなわち、２つのケーシング本体１０、１０Ｃの第２側面ケーシング１７と、第１側面ケーシング１４とを互いに突き合わせ接ぐことによって、対応する放熱具２１（結合部２１２と、隆起部２１１）と、係合溝２２、入口凹み溝２３とを互いに嵌着して結合し、もともとの１倍（１Ｌ）長さのケーシング本体１０の幅を２倍（２Ｌ）長さのケーシング幅に増やせる。
すなわち、簡単な組合せによって、２倍の内部空間に増やすことができ、同じく、ケーシング本体１０、１０Ｃの底部及び前後両端部ともそれぞれ底部切り板４１と、端部ケーシング４４（連結方式は前述に同様）とを設けられている。端部ケーシング４４はさらに把手４５を設けて、引き出しと引き戻し操作に便利する。一例として、ケーシング構造１Ｂをコンピュータキャビネット（ラック）１００の載置皿１０１に設けるとき、把手４５の引き出し操作によって、すばやくコンピュータの組立または保守作業ができる。
【００１７】
図７を合わせて参照する。ケーシング本体１Ｃは接ぎ重ね組合せであり、上下左右４つを並列に設置されたケーシング本体１０、１０Ｂ、１０Ｃ、１０Ｄを組合せたものである。
すなわち、隣り合う第２側面ケーシング１７、第１側面ケーシング１４を互いに接ぎあわせることによって、対応の放熱具２１（結合部２１２、隆起部２１１）と、係合溝２２、入口凹み溝２３とを互いに嵌着して連結され、重ね組合せた対応の端部つなぎ凹み溝３１１と、端部つなぎ突起部３２１を互いに嵌着して連結し、もともと１Ｕ／１Ｌ長さ単位のケーシング本体１０の高さと幅を４倍容量２Ｕ／２Ｌ長さ単位のケーシング高さ、幅に拡大する。すなわち、簡単な組合せによって、４倍の内部空間収納量を増やすことができる。
【００１８】
このほか、ケーシング本体１０は第１側面ケーシング１４と、第２側面ケーシング１７の内面はさらに複数の嵌着溝５１を設けられ、嵌着溝５１は蟻形矧ぎ溝であっても良い。
ケーシング構造１Ｃにてサンドイッチ４６を設けることができる。サンドイッチ４６は必要な高さによって、嵌着溝５１に嵌着し固定していて、かつサンドイッチ４６の前後端にブラケット穴４６１を設けられ、サンドイッチ４６にて電気回路板その他電子素子（図示しない）を設置できる。ブラケット穴４６１は電気回路板その他電子素子のケーブルを通して、上下層に設けられたその他素子との連結に備える。
【００１９】
図８を合わせて参照する。ケーシング構造１Ｄは背中重ねの組合せであり、上下に２つを背中重ねに設置したケーシング本体１０Ｂ、１０を組合せてなる。すなわち、２つの隣り合わせた基礎面ケーシング１１を用いて、対応の放熱具２１（結合部２１２と、隆起部２１１）と、係合溝２２と、入口凹み溝２３とを互いに嵌着して連結する。
ケーシング本体１０（１０Ｂ）の第１側面ケーシング１４と、第２側面ケーシング１７の端部つなぎ凹み溝３１１と、端部つなぎ突起部３２１も同様に底部切り板４１に嵌着させ、電気回路板４２と、電気回路板４２上の発熱素子４２１、伝熱具４３などの設置に提供し、もともと１Ｕ長さ単位のケーシング本体１０の高さを２倍容量２Ｕ長さ単位のケーシング高さに増やすことができる。
すなわち、簡単な組合せによって、内部空間の拡張性を有する。図９を合わせて参照する。ケーシング構造１Ｅを図７に示す接ぎ重ねの組合せと、図８に示す背中重ね組合せを基に、上下に拡張して拡張形の接ぎ重ねの組合せを形成する。
【００２０】
図１０の、ケーシング構造１Ｆのさらなる構成を合わせて参照する。ケーシング本体１０は第１側面ケーシング１４と、第２側面ケーシング１７の内面にて、複数の嵌着溝５１をさらに設けられ、嵌着溝５１は蟻形矧ぎ溝であっても良い。これにより、サンドイッチ板４６を必要な高さにより、嵌着溝５１に嵌着し固定することができる。側辺切り板６０を有し、側辺切り板６０の端面にそれぞれ端部つなぎ突起部６１と、端部つなぎ凹み溝６２とを設けられ、それぞれケーシング本体１０（１０Ｂ）の端部つなぎ凹み溝３１１と、端部つなぎ突起部３２１に結合することによって、もともと２Ｕ長さ単位のケーシング本体１０の高さを３Ｕ長さ単位のケーシング構造１Ｆの高さに増やすことができる。
すなわち、簡単な組合せによって内部空間を増やせる。滑りレール７０を有し、滑りレール７０の外面に凹部７１を有し、両端部を突き延ばした嵌着端７２を形成し、嵌着端７２は自在にケーシング本体１０（１０Ｂ）の嵌着溝５１に嵌設されている。滑りレール７０の凹部７１にサンドイッチ板４６を設けても良い。すなわち、サンドイッチ板４６の両側を２つの滑りレール７０に連結させる。サンドイッチ板４６にて電気回路板その他電子素子を取り付けることによって、サンドイッチ板４６が両側の滑りレール７０を介して、容易に引き出しまたは押し戻すことができ、保守または取付作業が簡単に行える。
このほか、滑りレール７０の凹部７１も他の形状のサンドイッチ板（図示しない）に連結することもできる。サンドイッチ板の形状は制限されない。その形状は両側から上方に延ばした後に湾曲して中央に延ばして板体を形成するなど、載置した電子素子の高さを増やせる。すなわち、サンドイッチ板は必要により、様々な形状を製作して、それぞれの電子素子の載置要求に合わせられる。
【００２１】
引き続き図１１を参照する。ケーシング構造１Ｇはさらに少なくとも一つの放熱具８０を有し、放熱具８０の一面に連結柱８１を凸設され、連結柱８１の端面にダブテール端８１１を形成していて、ダブテール端８１１はケーシング本体１０（１０Ｂ）の蟻形矧ぎ溝３３に嵌着することができる。
放熱板８０の他面に隣接する複数の放熱結合部８２と、放熱係合溝８３を設けられている。これにより、放熱板８０を複数の反対方向による重ね合わせて連結し、ケーシング本体１０／１０Ｂ（ケーシング構造１Ｆ）上下の間に接触し連結することによって、熱エネルギーの伝導及び排出を行うことができる。
【００２２】
本考案の放熱機能を有する組合せ式ケーシングの構造は前述の構成により、小さいケーシングの構成であっても充分な放熱効果を提供できるほか、極めて良い空間配置によって、より良い放熱効果と空間利用率の効果を達成し、ケーシングの放熱構造を用いて、同時に縦方向による重ね連結及び／または横方向による拡張連結応用することによって、コンピュータシステム構成に極めて良い拡張の柔軟性を実現する。
【００２３】
前述のとおり、本考案は実用新案の要件を満足しているため、法により実用新案登録の出願をする。
以上に説明した本考案の実施例は、本考案の好ましい実施例であり、本考案に何らの制限を加わるものではない。よって、本考案の実用新案登録請求範囲に掲げた形状、構造、特長および精神に基づいた変更と修飾は、なお本考案の実用新案登録請求の範囲に含まれる。
【符号の説明】
【００２４】
１、１Ａ、１Ｂ、１Ｃ、１Ｄ、１Ｅ、１Ｆ、１Ｇ  ケーシング構造
１０、１０Ａ、１０Ｂ、１０Ｃ、１０Ｄ  ケーシング本体
１１  基礎面ケーシング
１２  外面
１２０  外部凹面
１２１  傾昇面
１３  内面
１３０  内部突起面
１４  第１側面ケーシング
１５  外面
１６  内面
１７  第２側面ケーシング
１８  外面
１９  内面
２０  放熱装置
２１  放熱具
２１１  隆起部
２１２  結合部
２１２ａ  第１端
２１２ｂ  第２端
２１Ａ  放熱具
２２、２２Ａ  係合溝
２３  入口凹み溝
２４  端部放熱具
２４１  端部隆起部
２４２  端部結合部
２４２ａ  第１端部
３１  第１端接続部
３１１  端部つなぎ凹み溝
３２  第２端接続部
３２１  端部つなぎ突起部
３３、３３Ａ  蟻形矧ぎ溝
３４  固定リブ溝
３５  把持部
３５１  嵌着具
４１  底部切り板
４１Ａ  内面
４１Ｂ  外面
４１０  端部溝穴
４１１  底部つなぎ突起部
４１２  底部つなぎ凹み溝
４２  電気回路板
４２０  端柱
４２１  発熱素子
４３  伝熱具
４３１  熱吸収面
４３２  排熱面
４３３  蟻形矧ぎくさび
４４  端部ケーシング
４５  把手
４６  サンドイッチ板
４６０  端部溝穴
４６１  ブラケット穴
５１  嵌着溝
１００  コンピュータキャビネット
１０１  載置トレイ
６０  側辺切り板
６１  端部つなぎ突起部
６２  端部つなぎ凹み溝
７０  滑りレール
７１  凹部
７２  嵌着端
８０  放熱プレート
８１  連結柱
８１１  ダブテール端
８２  放熱結合部
８３  放熱係合溝
【図１】
0003185017.tif 000003
【図２】
0003185017.tif 000004
【図３】
0003185017.tif 000005
【図４】
0003185017.tif 000006
【図５】
0003185017.tif 000007
【図６】
0003185017.tif 000008
【図７】
0003185017.tif 000009
【図８】
0003185017.tif 000010
【図９】
0003185017.tif 000011
【図１０】
0003185017.tif 000012
【図１１】
0003185017.tif 000013